(57)【特許請求の範囲】
【請求項１】
光ピックアップを構成するレンズを保持するレンズホルダの成型方法であって、
前記レンズホルダは、
所定断面のフォーカス方向において、第１の厚みを有する第１片及び当該第１の厚みよりも厚い第２の厚みを有する第２片を含み、
前記フォーカス方向の第１方向に移動して離型可能な上金型と、
前記第１方向と逆方向に移動して離型可能な下金型と、
前記第１片におけるタンジェンシャル方向に面した側面に凹形状を成型しかつ前記タンジェンシャル方向に移動して離型可能なスライド金型と、
で成型され、
前記上金型または前記下金型の一方を離型する第１のステップと、
前記スライド金型を離型する第２のステップと、
前記レンズホルダを取り出す第３のステップと、
を有する、
光ピックアップを構成するレンズを保持するレンズホルダの成型方法。
【請求項２】
光ピックアップを構成するレンズを保持するレンズホルダの成型金型であって、
前記レンズホルダは、
所定断面のフォーカス方向において、第１の厚みを有する第１片及び当該第１の厚みよりも厚い第２の厚みを有する第２片を含み、
前記成型金型は、
前記フォーカス方向の第１方向に移動して離型可能な上金型と、
前記第１方向と逆方向に移動して離型可能な下金型と、
前記第１片におけるタンジェンシャル方向に面した側面に凹形状を成型し、かつ、前記上金型または前記下金型の離型後に前記タンジェンシャル方向に移動して離型可能なスライド金型と、
で構成される、
光ピックアップを構成するレンズを保持するレンズホルダの成型金型。
【発明の詳細な説明】
【技術分野】
【０００１】
本発明は、小型、高性能かつ安価な光ピックアップに関し、特にその構成部品であるレンズホルダの成型方法に関するものである。
【背景技術】
【０００２】
図５は従来の光ピックアップ用アクチュエータの構成例を示した斜視図である。図５において、レンズホルダ２０は、サスペンションホルダ６側の上面に対物レンズ１とほぼ同形状の穴（レンズ保持部）を有し、そこに対物レンズ１を固定する。また、レンズホルダ２０は、サスペンションホルダ６から離れた側に矩形状の貫通穴を有している。フォーカスコイル３は、レンズ側の側面にトラッキングコイル４が取り付けられ、レンズホルダ２０の矩形状の穴部に取付けられている。サスペンションワイヤ９は、レンズホルダ２０の外側面に沿って２本ずつ互いに概並行に配置されており、レンズホルダ２０の側面にタンジェンシャル方向（図中のＴ方向）に開けられた貫通穴内で接着剤１０により固定され、フォーカスコイル３とトラッキングコイル４に半田（図示せず）により接続されている。また、サスペンションワイヤ９のもう一端は、サスペンションホルダ６に取り付けられたプリント基板５に、半田付けにより固定されている。ヨーク７は、トラッキングコイル４とフォーカスコイル３を跨ぐようにＵ字型に形成され、その内側には対向するように一対のマグネット８が取付けられている。サスペンションホルダ６とヨーク７は接着剤（図示せず）により光学基台（図示せず）に固定される。
【０００３】
以上のように構成された光ピックアップ用アクチュエータは、電源からプリント基板５、サスペンションワイヤ９を経由してフォーカスコイル３、トラッキングコイル４に電流が供給されると、マグネット８の磁力を受け、フレミングの左手の法則に従い、図中のフォーカス方向（Ｆ方向）もしくはタンジェンシャル方向（Ｔ方向）へ駆動力が発生する。これにより、対物レンズ１によって収束されたレーザ光の光スポットを光ディスクの信号記録面に合焦させるフォーカシング制御および、光ディスクの記録スポットに追従させるトラッキング制御を行う。このような光ピックアップにおいて、良好な読み込みおよび書き出し特性を得るには、光ディスクと対物レンズ１の傾きを安定化させることが重要である。
【０００４】
図６と図７は、従来のレンズホルダ２０を成型するための金型構成を示した図であり、図６がレンズホルダ２０と金型の断面図、図７がレンズホルダ２０と一部の金型との斜視図である。図６において、上金型１１と下金型１２において、レンズ保持部２ａを有するレンズホルダ２０が成型される。１４はイジェクタピンである。
【０００５】
レンズホルダ２０の成型後の離型は以下のような順序でおこなわれる。まず、上金型１１をＦ＋方向に離型し、次に、図７に示すスライド金型１３ｂがＴ方向に離型する。そして、イジェクタピン１４がＦ方向に移動することでレンズホルダ２０が下金型１２から取り出される。このような金型構造を用いる従来の成型方法では、上金型１１の離型時にレンズホルダ２０の対物レンズを取り付けるための保持部２ａが上金型１１に引っ張られて保持部２ａの対物レンズの傾き精度が低下する。この傾き精度が悪くなるのを防止するためには、レンズホルダ２０の肉厚を増やす必要があり、レンズホルダおよびアクチェータの小型を妨げる要因であった。
【０００６】
なお、アクチュエータを有する光ピックアップは、例えば特許文献１のように様々な構造を有しているが、レンズホルダの成型に、精密加工が求められる点は同様である。
【特許文献１】特開平５−２９８７２２号公報
【発明の開示】
【発明が解決しようとする課題】
【０００７】
本発明が解決しようとする問題点は、従来のレンズホルダを成型するための金型構成では、レンズホルダの傾き精度および光ピックアップの光学特性に悪影響を及ぼすため、レンズホルダの小型化、および光ピックアップの小型化が困難である点である。
【課題を解決するための手段】
【０００８】
上記課題を解決するために本発明は、光ディスクにレーザ光を収束させる対物レンズを保持するレンズホルダの成型方法であって、上金型と、下金型と、前記対物レンズの保持部近傍に用いるスライド金型とにより前記レンズホルダを成型する。
【０００９】
また、好ましくは、前記上金型または下金型のいずれかを成型後のレンズホルダから分離した後に、前記スライド金型を分離する。
【発明の効果】
【００１０】
本発明の成型方法によれば、成型金型にスライド金型を用いることで、金型離型時の成型部材の変形をより軽減できる。
【発明を実施するための最良の形態】
【００１１】
本発明の成型方法は、レンズホルダの対物レンズを固定するための保持部の先端に小型のスライド金型を配置することで、レンズホルダ変形防止のための凹形状をレンズホルダに構成し、上下のいずれかの金型を離型した後にスライド型を離型することを最も主要な特徴とする。
【００１２】
また、本発明は、光ディスクにレーザ光を収束させる対物レンズと、前記対物レンズを保持するレンズホルダと、前記レンズホルダを前記対物レンズの光軸方向に移動可能に支持するアクチュエータと、前記アクチュエータを搭載する光学ベースとを備える光学ピックアップであって、前記レンズホルダは、前記対物レンズの保持部近傍に用いるスライド金型と、上下金型とにより成型されている。
【００１３】
以下、本発明の実施の形態について、図面を用いて説明する。
【００１４】
（実施の形態１）
図１は、本発明の成型方法により成型されたレンズホルダを備えた光ピックアップ用アクチュエータの構成を示す斜視図である。図５に示した従来のアクチュエータとの相違は、レンズホルダ２において、対物レンズ１を保持する保持部近傍のタンジェンシャル方向（Ｔ方向）側面にスライド金型により形成された跡（凹形状）がある点である。その他の構成要素は、図５に示した従来の光ピックアップと同様であるので、その説明は割愛する。
【００１５】
図２は、本発明の実施の形態１によるレンズホルダ２を成型するのに用いられる金型構成を示す断面図であり、図３は、本発明の実施の形態により成型されるレンズホルダ２と、成型するのに用いられる金型構成の一部とを示す斜視図である。
【００１６】
図２において、１３ｂがレンズホルダ２の対物レンズの保持部２ａの近傍に用いられるスライド金型である。
【００１７】
上金型１１と下金型１２を用いて成型されたレンズホルダ２は、以下の順序で、離型が行なわれる。
【００１８】
まず、上金型１１をＦ方向に離型させる。次に、図３に示すように、下金型１２と組み合わされているスライド金型１３ａおよび１３ｂをＴ方向に離型する。なお、図３は、レンズホルダ２に対するスライド金型１３ａ、１３ｂの位置関係を示すものであり、下金型１２は省略してある。なお、この工程により、図１に示したようにレンズホルダ２の対物レンズ保持部２ａのＴ方向側面には、スライド金型１３ｂの跡である凹形状が残ることになる。そして、最後にイジェクタピン１４をＦ方向に移動させ、レンズホルダ２を下金型１２から取り出す。
【００１９】
ここで、上金型１１をＦ方向に離型させる際に、対物レンズの保持部２ａにスライド金型１３ｂが食い込んだ状態となっているため、上金型１１に引っ張られて保持部２ａの傾きが変化するのを阻止することができる。これにより、対物レンズを組み込む際の傾き精度を保ったままでレンズホルダ２を薄型、小型化することが可能となり、更にはアクチュエータや光ピックアップの小型化を実現することができる。
【００２０】
（実施の形態２）
図４は、本発明の実施の形態２によるレンズホルダ２を成型するのに用いられる金型構成を示す断面図である。実施の形態１との相違は、レンズホルダ２の上下を逆に成型する点である。即ち、上金型１１がレンズホルダ２の下側を、下金型１２が上側を成型する。対物レンズの保持部２ａの近傍にスライド金型１３ｂが用いられる点は同様である。また、成型されるレンズホルダ２も同様のものとなる。
【００２１】
従って、レンズホルダ成型時の離型は、以下のような順序で行なわれる。
【００２２】
まず、上金型１１をＦ方向に離型させ、次にスライド金型１３ａおよび１３ｂがＴ方向に離型する。最後にイジェクタピン１４をＦ方向に移動させ、レンズホルダ２を下金型１２から取り出す。
【００２３】
ここで、上金型１１をＦ方向に離型させる際に、対物レンズの保持部２ａにスライド金型１３ｂが食い込んだ状態となっているため、上金型１１に引っ張られて保持部２ａの傾きが変化するのを阻止することができる。これにより、対物レンズを組み込む際の傾き精度を保ったままでレンズホルダ２を薄型、小型化することが可能となり、更にはアクチュエータや光ピックアップの小型化を実現することができる。
【００２４】
なお、上記実施の形態において、スライド金型１３ｂは、レンズホルダの先端部のみに配置する小型の金型であるので、コスト面での増加は少ない。更に、自動化を行なう際には、サスペンションワイヤ９を通す穴を成型するために用いるスライド金型１３ａの離型の工程を活用することができるので、いたって簡便に実施することが可能である。
【産業上の利用可能性】
【００２５】
以上のように本発明にかかる成型方法は、光ピックアップ用レンズホルダの成型方法として有用であり、形成されるレンズホルダを小型化することができので、特に小型の光ピックアップに適している。
【図面の簡単な説明】
【００２６】
【図１】本発明の実施の形態１によるレンズホルダを有する光ピックアップの構成を示す斜視図
【図２】本発明の実施の形態１に於ける成型方法に用いられるレンズホルダの金型構成を示す断面図
【図３】本発明の実施の形態１に於けるレンズホルダとスライド金型構成の関係を示す斜視図
【図４】本発明の実施の形態２に於ける成型方法に用いられるレンズホルダの金型構成を示す断面図
【図５】従来の光ピックアップの構成を示す斜視図
【図６】従来の成型方法に用いられるレンズホルダの金型構成を示す断面図
【図７】従来のレンズホルダとスライド金型構成の関係を示す斜視図
【符号の説明】
【００２７】
１    対物レンズ
２    レンズホルダ
２ａ    対物レンズの保持部
３    フォーカスコイル
４    トラッキングコイル
５    プリント基板
６    サスペンションホルダ
７    ヨーク
８    マグネット
９    サスペンションワイヤ
１０    接着剤
１１    上金型
１２    下金型
１３ａ、１３ｂ    スライド金型
１４    イジェクタピン
Ｆ    フォーカス方向
Ｒ    ラジアル方向
Ｔ    タンジェンシャル方向
【図１】
0004797773.tif 000002
【図２】
0004797773.tif 000003
【図３】
0004797773.tif 000004
【図４】
0004797773.tif 000005
【図５】
0004797773.tif 000006
【図６】
0004797773.tif 000007
【図７】
0004797773.tif 000008